(57)【要約】【課題】大小サイズ規格の異なる空冷ファンを収納可能なファン保護カバー。【解決手段】本体２は、底部２１および底部２１と接続する側壁部２３を具え。収納空間２４を画定する。底部２１は、相対する２辺両側に一対の第１の凸体セット２１１を設け、第１の凸体セット２１１と側壁部２３との間、及び第１の凸体セット内側に、それぞれ第１及び第２の嵌合部２５、２６が画定されている。凸体セットによる嵌合部はさらに他の２辺に設けても良い。  これらの嵌合部はサイズの異なるファンのフレーム５１の内側及び外側にそれぞれ嵌合することにより、異なるサイズのファンフレームに対して位置決めして固定することができる。【選択図】図３
0003155285.tif 000002
【実用新案登録請求の範囲】
【請求項１】
本体及び蓋からなるファン保護カバーであって、
前記本体は、底部および前記底部と接続する側壁部を有し、前記底部および前記側壁部によりファンの収納空間を画定し、前記底部は相対する２辺両側に第１の凸体セットを設けて、前記第１の凸体セットと相対する前記側壁部との間をファンのフレーム内側に嵌合する第１の嵌合部、前記第１の凸体セットの反対側をファンのフレーム外側に嵌合する第２の嵌合部としてそれぞれ画定したことを特徴とするファン保護カバー。
【請求項２】
前記収納空間は、前記第１の嵌合部により嵌合されるファンを収納することを特徴とする請求項１に記載のファン保護カバー。
【請求項３】
前記収納空間は、前記第２の嵌合部により嵌合されるファンを収納することを特徴とする請求項１に記載のファン保護カバー。
【請求項４】
前記底部は、相対する他の２辺両側に第２の凸体セットを設け、前記第２の凸体セットと相対する前記側壁部との間をファンのフレーム内側に嵌合する第３の嵌合部、前記第２の凸体セットの反対側をファンのフレーム外側に嵌合する第４の嵌合部としてそれぞれ画定したことを特徴とする請求項１に記載のファン保護カバー。
【請求項５】
前記収納空間は、前記第１の嵌合部および前記第３の嵌合部により嵌合されるファンを収納することを特徴とする請求項４に記載のファン保護カバー。
【請求項６】
前記収納空間は、前記第２の嵌合部および前記第４の嵌合部により嵌合されるファンを収納することを特徴とする請求項４に記載のファン保護カバー。
【請求項７】
前記底部は、相対する前記一対の第１の凸体セット中間に、ファンのフレームの中央部を配置する収納凹部、及びその周囲に沿って取り巻くように配置されてファン羽根に接してその回転を抑制する少なくとも一つの固定部を形成されていることを特徴とする請求項１に記載のファン保護カバー。
【請求項８】
前記固定部は、ファンの羽根の曲面に沿った曲面からなる側曲面とその前側において隣接する固定部側縁との間にファンの羽根の縁部を配置する溝を構成する側凸面を設けてなることを特徴とする請求項７に記載のファン保護カバー。
【請求項９】
前記溝は、収納凹部と相互に連通していることを特徴とする請求項８に記載のファン保護カバー。
【請求項１０】
前記収納空間は、底部の四隅角部とこれら境界空間を各四隅の側壁部との間に境界空間を画定し、この境界空間に合わせてファンのフレームを収納することを特徴とする請求項１に記載のファン保護カバー。
【請求項１１】
前記本体は、前記底部と相対する開放部を有し、前記開放部は前記蓋を嵌合して、前記収納空間を閉鎖することを特徴とする請求項１に記載のファン保護カバー。
【請求項１２】
前記蓋は、前記収納空間に相対して突出したリムを有し、前記リムは該蓋に対応する前記側壁部の内壁と嵌合することを特徴とする請求項１１に記載のファン保護カバー。
【考案の詳細な説明】
【技術分野】
【０００１】
本考案は、ファン保護カバーに関し、特に、サイズの異なるファンを嵌合するファン保護カバーに関する。
【背景技術】
【０００２】
電子機器の発達にともない、電子デバイスの性能も急速に向上し、演算処理速度もますます速くなった。内部のチップユニットの演算速度も向上し、使用チップ数も増加したため、作業時に発生する熱量も大幅に増加した。発生した熱量がただちに放熱されないと、電子デバイスの性能に悪影響を与えてしまう。例えば、電子デバイスの処理速度の減速、フリーズ、焼損などが起こるため、放熱が電子デバイスにとって、大きな課題となっている。そこで、放熱ファンが放熱装置として一般的に用いられていた。
【０００３】
放熱ファンの運送または運搬中に、異物またはほこりが放熱ファン内に混入し、混入した異物またはほこりが放熱ファン運転中に電子デバイス内に入り込み、ショートを起こして焼損させてしまうことが多々ある。そのため、この問題を解決するファン保護カバーが開発された。
【０００４】
以下、従来技術を図面に基づいて説明する。図１および図２を参照する。図１は、従来のファン保護カバーを示す分解斜視図である。図２は、従来のファン保護カバーを示す斜視図である。図１および図２に示すように、従来のファン保護カバーは、蓋１０およびカバー１２からなる。カバー１２は、ファン１４を収納する収納空間１２１を有する。収納空間１２１の内側とファン１４との間にスペース１６が設けられている。スペース１６は、簡単にファンがカバー１２の収納空間１２１に配置できるように設けたものである。蓋１０は、収納空間１２１を閉鎖するために、カバー１２上に嵌合するようになっている。
【０００５】
ファンは、一般的に、大型ファンおよび小型ファンに分けられる。ファン１４がカバー１２に装着される際には、ファン１４が大型ファンまたは小型ファンのどちらかであるか確認しなければならない。大型ファンの場合、同じサイズのカバー１２を選んで組立を行うが、まず、大型ファンをカバー１２の収納空間１２１内に移動させ、収納空間１２１の底面に配置する。次に、蓋１０を収納空間１２１の方向に移動させ、カバー１２に嵌合させて蓋をする。
【０００６】
小型ファンの場合は、同じサイズのカバー１２を選んで組立を行うが、まず、小型ファンをカバー１２の収納空間１２１内に移動させ、収納空間１２１の底面に配置する。次に、蓋１０を収納空間１２１の方向に移動させ、カバー１２に嵌合させて蓋をする。以上のようにして、異物またはほこりの混入は、改善することができたが、少なくとも二種類の異なるサイズのファン保護カバーが必要になったため、生産コストが上昇し、組立に際して不便が感じられるようになった。
【０００７】
収納空間１２１の内側とファン１４との間にスペース１６があるため、ファン１４が運送または運搬時に、振動または揺れで収納空間１２１内のスペース１６でがたがたぶつかるなどして、保護カバー内に固定できず、保護カバーからファン１４が外れたり、場合によっては、破損してしまう。そのため、スポンジなどをスペース１６に詰め込み、ファン１４が破損するのを防ごうとした。しかし、スポンジなど詰め込まれる物もその重さや処理などの問題を起こした。また、保護カバーが吊るすカード状の包装で市販される場合、透明であるため、スポンジが中に入っていると、見栄えが悪く、購買意欲をそそることができない。
【０００８】
以上のように、従来のファン保護カバーには、四つの欠点が存在した。１、生産コストが高い。２、使用上、利便性が少ない。３、ファンが固定できない。４、使い勝手が不良である。上記の欠点を解決するファン保護カバーが求められていた。
【先行技術文献】
【特許文献】
【０００９】
【特許文献１】特開２００２−３４４１８０号公報
【特許文献２】ＷＯ２００３／ＪＰ２００３／０２１１１０号公報
【考案の概要】
【考案が解決しようとする課題】
【００１０】
本考案の第１の目的は、生産コストを削減するファン保護カバーを提供することにある。
本考案の第２の目的は、位置決め効果を向上させるファン保護カバーを提供することにある。
本考案の第３の目的は、利便性を向上させるファン保護カバーを提供することにある。  
【００１１】
上述の目的を達成するため、本考案は、ファン保護カバーを提供する。本考案のファン保護カバーは、底部および底部と接続する側壁部を有する本体を具える。底部および側壁部は、収納空間を画定し、底部は、相対する両側に第１の凸体セットを設けている。第１の凸体セットと側壁部との間に、第１の嵌合部が画定されている。第１の凸体セットは、反対側に第２の嵌合部を画定している。第１の嵌合部および第２の嵌合部により、ファンを嵌合固定するため、位置決め効果を向上させる。サイズの異なる第１のサイズのファンまたは第２のサイズのファンが一つの本体に装着されるため、作業時間を短縮し、利便性を向上させる。また、生産コストを削減する。
【考案の効果】
【００１２】
本考案のファン保護カバーは、本体の第１の嵌合部および第２の嵌合部により、位置決め効果を向上させることができる。サイズの異なる第１のサイズのファンまたは第２のサイズのファンが同じ規格の本体に装着されるため、作業時間を短縮し、利便性を向上させることができる。また、生産コストを削減することもできる。
【図面の簡単な説明】
【００１３】
【図１】従来のファン保護カバーを示す分解斜視図である。
【図２】従来のファン保護カバーを示す斜視図である。
【図３】本考案の一実施形態によるファン保護カバーを示す分解斜視図である。
【図４】本考案の一実施形態によるファン保護カバーを示す斜視図である。
【図５】本考案の一実施形態によるファン保護カバーを示す正面図である。
【図６】本考案の一実施形態によるファン保護カバーを示す分解斜視図である。
【図７】本考案の一実施形態によるファン保護カバーを示す斜視図である。
【図８】本考案の一実施形態によるファン保護カバーを示す正面図である。
【図９】本考案のもう一つの実施形態によるファン保護カバーを示す分解斜視図である。
【図１０】本考案のもう一つの実施形態によるファン保護カバーを示す斜視図である。
【図１１】本考案のもう一つの実施形態によるファン保護カバーを示す正面図である。
【図１２】本考案のさらにもう一つの実施形態によるファン保護カバーを示す分解斜視図である。
【図１３】本考案のさらにもう一つの実施形態によるファン保護カバーを示す斜視図である。
【図１４】本考案のさらにもう一つの実施形態によるファン保護カバーを示す平面図である。
【考案を実施するための形態】
【００１４】
以下、本考案の実施形態を図面に基づいて説明する。
【００１５】
図３〜８を参照する。図３は、本考案の一実施形態によるファン保護カバーを示す分解斜視図である。図４は、本考案の一実施形態によるファン保護カバーにファンを収納した状態を示す斜視図である。図５は、本考案の一実施形態によるファン保護カバーを示す平面図である。図６は、本考案の一実施形態による本考案の一実施形態によるファン保護カバーを示す分解斜視図である。図７は、本考案の一実施形態によるファン保護カバーを示す斜視図である。図８は、本考案の一実施形態によるファン保護カバーを示す正面図である。
図３〜８に示すように、本考案のファン保護カバーは、底部２１および底部２１と接続する側壁部２３を有する本体２を具える。底部２１および側壁部２３は、ファン５を収納する収納空間２４を画定する。底部２１は、相対する２辺両側に第１の凸体セット２１１を設けている。つまり、第１の凸体セット２１１は、底部２１の相対する両側に配置されている。第１の凸体セット２１１と側壁部２３との間には、ファン５のフレーム５１の内側と嵌合する第１の嵌合部２５が画定されている。つまり、第１の嵌合部２５は、対応するフレーム５１の内側の相対する両側と嵌合する。第１の凸体セット２１１は、内側がファン５のフレーム５１の外側と嵌合する第２の嵌合部２６を画定する。つまり、第２の嵌合部２６は、対応するフレーム５１の外側の相対する両側と嵌合する。
【００１６】
ファン５は、二種類のサイズに分けられるのが普通であるが、第１のサイズは、９（または１３）ｃｍの第１のサイズのファン５２で、第２のサイズは、８（または１２）ｃｍの第２のサイズのファン５３である。第１のサイズのファン５２のフレーム５１は、対応する第１の嵌合部２５のサイズに一致し、嵌合固定する（図３、４、５参照）。第２のサイズのファン５３のフレーム５１は、対応する第２の嵌合部２６のサイズに一致し、嵌合固定する（図６、７、８参照）。
【００１７】
底部２１は、第２の凸体セット２１２も設けている。第２の凸体セット２１２は、底部２１のもう一方の相対する２辺両側に配置されている。第２の凸体セット２１２と側壁部２３との間には、ファン５のフレーム５１のもう一方の内側と嵌合する第３の嵌合部２７が画定されている。ファン５（第１のサイズのファン５２）は、第１の嵌合部２５および第３の嵌合部２７により嵌合固定される。第２の凸体セット２１２は、内側がファン５のフレーム５１の外側と嵌合する第４の嵌合部２８を画定する。ファン５（第２のサイズのファン５３）は、第２の嵌合部２６および第４の嵌合部２８により嵌合固定される。第１のサイズのファン５２のフレーム５１は、対応する第３の嵌合部２７のサイズに一致し、嵌合固定する。第２のサイズのファン５３のフレーム５１は、対応する第４の嵌合部２８のサイズに一致する。
【００１８】
底部２１は、少なくとも一つの固定部２１４および収納凹部２１７をさらに有する。ファン５のフレーム５１の中央部を配置する収納凹部２１７は、相対する第１の凸体セット２１１の間に設けられている。つまり、収納凹部２１７は、底部２１の中央部に配置され、ちょうど相対する第１の凸体セット２１１の間に位置するのである。収納凹部２１７は、相対する第１の凸体セット２１１の間と相対する第２の凸体セット２１２の間に位置すると言うこともできる。固定部２１４は、収納凹部２１７の周囲に沿って取り巻くように形成され、ファン５（第１のサイズのファン５２および第２のサイズのファン５３）の羽根の位置決めを行う。
【００１９】
固定部２１４は、側凸面２１５１および側曲面２１５２を有する突出体２１５を設けている。側曲面２１５２は、曲面弧度がファン５の羽根の曲面弧度と一致するため、ファン５の羽根の曲面が対応する側曲面２１５２にぴったりと接触し、位置決めが効果的に補助される。突出体２１５の側凸面２１５１は、相対するもう一つの突出体２１５の側曲面２１５２との間に、ファン５の羽根の辺縁を配置する凹部２１６を画定している。凹部２１６は、収納凹部２１７と相互に連通している。
【００２０】
収納空間２４は、底部２１の隅と側壁部２３に接続する側壁部２３との内壁に画定された境界空間２４１を有する。境界空間２４１は、ファン５のフレーム５１を収納する。本体２は、底部２１に相対する開放部２２を有する。開放部２２は、蓋３と嵌合し、収納空間２４を閉鎖するため、異物またはほこりが混入するのを効果的に防止する。蓋３は、収納空間２４に相対して突出したリム３１を有する。リム３１は、対応する側壁部２３の内壁と嵌合する。
【００２１】
以下、本実施形態を具体的に説明する。図３〜８を再び参照する。第１のサイズのファン５２が本体２に収納される場合、まず、第１のサイズのファン５２を本体２の本体２の開放部２２から収納空間２４に入れ、第１のサイズのファン５２のフレーム５１の内側を第１の嵌合部２５および第３の嵌合部２７と嵌合させる。これと同時に、第１のサイズのファン５２の各羽根の曲面が相対する各固定部２１４の突出体２１５の側曲面２１５２に相接して、各羽根が収納空間２４内で揺れまたは振動により回転するのを防ぐ。また、第１のサイズのファン５２のフレーム５１の四隅角部及びフレーム５１の中央部分は、それぞれ境界空間２４１および収納凹部２１７に配置される。次に、蓋３のリム３１と側壁部２３の内壁とを嵌合させて蓋３によって収納空間２４を密封し、第１のサイズのファン５２が密閉された状態で収納空間２４内に配置される。
【００２２】
第１のサイズのファン５２に替えて、第２のサイズのファン５３を本体２に収納する場合、まず、第２のサイズのファン５３を本体２の開放部２２から本体２の収納空間２４に入れ、第２のサイズのファン５３のフレーム５１の外側を第２の嵌合部２６および第４の嵌合部２８と嵌合させる。これと同時に、第２のサイズのファン５３の各羽根の曲面が相対する各固定部２１４の突出体２１５の側曲面２１５２に接して、各羽根が収納空間２４内で揺れまたは振動により回転するのを防ぐ。また、第２のサイズのファン５３のフレーム５１の四隅角部およびフレーム５１の中央部分は、同時に境界空間２４１および収納凹部２１７にそれぞれ配置される。次に、蓋３のリム３１と側壁部２３の内壁とを嵌合して蓋３により収納空間２４を密封し、第２のサイズのファン５３を密閉されるように収納空間２４内に配置する。
【００２３】
本体２の第１の嵌合部２５および第２の嵌合部２６により、位置決め効果を向上させる以外に、サイズの異なる二つの第１のサイズのファン５２または第２のサイズのファン５３が一つの本体２に収納されるため、作業時間を短縮し、利便性を向上させることができる。また、生産コストを削減することもできる。
【００２４】
図９〜１４を参照する。図９は、本考案のもう一つの実施形態によるファン保護カバーを示す分解斜視図である。図１０は、本考案のもう一つの実施形態によるファン保護カバーを示す斜視図である。図１１は、本考案のもう一つの実施形態によるファン保護カバーを示す正面図である。図１２は、本考案のさらにもう一つの実施形態によるファン保護カバーを示す分解斜視図である。図１３は、本考案のさらにもう一つの実施形態によるファン保護カバーを示す斜視図である。図１４は、本考案のさらにもう一つの実施形態によるファン保護カバーを示す平面図である。
図９〜１４に示すように、本考案のもう一つの実施形態によるファン保護カバーは、本体２、収納空間２４および少なくとも一つの第１の凸体セット２１１を具える。本体２は、底部２１および側壁部２３を有する。側壁部２３は、底部２１の周囲に沿って垂直に延伸している。収納空間２４は、底部２１と側壁部２３との間に形成されて、ファン５を収納する。収納空間２４は、底部２１に相対する開放部２２を有する。第１の凸体セット２１１は、底部２１の相対する両隅に配置されている。第１の凸体セット２１１は、側壁部２３に隣接する第１部分２１１１および第２部分２１１２を有する。第１部分２１１１は、第２部分２１１２と直角に接続している。
【００２５】
第１の凸体セット２１１と側壁部２３との間には、ファン５のフレーム５１の内側と嵌合する第１の嵌合部２５が画定されている。つまり、第１の嵌合部２５は、対応するフレーム５１の内側の相対する両隅と嵌合する。第１の凸体セット２１１は、内側がファン５のフレーム５１の外側と嵌合する第２の嵌合部２６を画定する。つまり、第２の嵌合部２６は、対応するフレーム５１の外側の相対する両隅と嵌合する。
【００２６】
ファン５は、二種類のサイズに分けられるのが普通であるが、第１のサイズは、９（または１３）ｃｍの第１のサイズのファン５２で、第２のサイズ８（または１２）ｃｍの第２のサイズのファン５３である。第１のサイズのファン５２のフレーム５１は、対応する第１の嵌合部２５のサイズに一致し、嵌合固定する（図９、１０、１１参照）。第２のサイズのファン５３のフレーム５１は、対応する第２の嵌合部２６のサイズに一致し、嵌合固定する（図１２、１３、１４参照）。
【００２７】
ファン保護カバーは、第２の凸体セット２１２をさらに具える。第２の凸体セット２１２は、底部２１のもう一方の相対する二つの隅に形成されている。つまり、第２の凸体セット２１２は、もう一方の相対する二つの隅に設けられている。第２の凸体セット２１２は、側壁部２３に隣接する第３部分２１２１および第４部分２１２２を有する。第３部分２１２１は、第４部分２１２２と直角に接続している。
【００２８】
第２の凸体セット２１２と側壁部２３との間には、ファン５のフレーム５１の内側のもう一方の相対する両隅と嵌合する第３の嵌合部２７が画定されている。これにより、ファン５（第１のサイズのファン５２）は、第１の嵌合部２５および第３の嵌合部２７により同時に嵌合固定される。第２の凸体セット２１２は、相対する側と第４の嵌合部２８を画定して、ファン５のフレーム５１のもう一方の相対する両隅と嵌合させる。ファン５（第２のサイズのファン５３）は、第２の嵌合部２６および第４の嵌合部２８により同時に嵌合固定される。第１のサイズのファン５２のフレーム５１は、対応する第３の嵌合部２７のサイズに一致し、第２のサイズのファン５３のフレーム５１は、対応する第４の嵌合部２８のサイズに一致する。
【００２９】
図９〜１４に示すように、底部２１は、複数の固定部２１４および収納凹部２１７をさらに有する。ファン５のフレーム５１の中央部を配置する収納凹部２１７は、相対する第１の凸体セット２１１の中間に設けられている。つまり、収納凹部２１７は、底部２１の中央部に配置され、ちょうど相対する第１の凸体セット２１１の中間に位置するのである。収納凹部２１７は、それぞれ一対の第１の凸体セット２１１及び第２の凸体セット２１２の中心に位置すると言うこともできる。固定部２１４は、収納凹部２１７の周囲に沿って取り巻くように形成され、ファン５（第１のサイズのファン５２および第２のサイズのファン５３）の羽根の位置決めを行う。
【００３０】
固定部２１４は、側凸面２１５１および側曲面２１５２を有する突出体２１５を設けている。側曲面２１５２は、曲面弧度がファン５の羽根の曲面弧度と一致するため、ファン５の羽根の曲面が対応する側曲面２１５２にぴったりと接し、位置決めが効果的に補助される。突出体２１５の側凸面２１５１は、相対するもう一つの突出体２１５の側曲面２１５２との間に、ファン５の羽根の辺縁を配置する凹部２１６を画定している。凹部２１６は、収納凹部２１７と相互に連通している。
【００３１】
収納空間２４は、底部２１の四隅とその角部で隣接する側壁部２３の内壁の間に境界空間２４１を有する。境界空間２４１は、ファン５のフレーム５１を収納する。本体２は、底部２１に相対する開放部２２を有する。開放部２２は、蓋３と嵌合し、収納空間２４を閉鎖するため、異物またはほこりが混入するのを効果的に防止する。蓋３は、収納空間２４に相対して突出したリム３１を有する。リム３１は、対応する側壁部２３の内壁と嵌合する。
【００３２】
図９〜１４を再び参照する。第１のサイズのファン５２が本体２に収納される場合、まず、第１のサイズのファン５２を本体２の開放部２２から本体２の収納空間２４内に入れ、第１のサイズのファン５２のフレーム５１の内側の四隅を第１の嵌合部２５および第３の嵌合部２７と嵌合させる。これと同時に、第１のサイズのファン５２の各羽根の曲面が相対する各固定部２１４の突出体２１５の側曲面２１５２に接して、各羽根が収納空間２４内で揺れまたは振動により回転するのを防ぐ。また、第１のサイズのファン５２のフレーム５１の隅およびフレーム５１の中央部分は、同時に境界空間２４１および収納凹部２１７にそれぞれ配置される。次に、蓋３のリム３１と側壁部２３の内壁とが嵌合させて蓋３により収納空間２４を密封させ、、第１のサイズのファン５２が密閉されるように収納空間２４内に配置される。
【００３３】
第１のサイズのファン５２に替えて、第２のサイズのファン５３が本体２に装着される場合、まず、本体２の開放部２２から第２のサイズのファン５３を本体２の収納空間２４に入れ、第２のサイズのファン５３のフレーム５１の外側の四隅を第２の嵌合部２６および第４の嵌合部２８と嵌合させる。これと同時に、第２のサイズのファン５３の各羽根の曲面が相対する各固定部２１４の突出体２１５の側曲面２１５２に接して、各羽根が収納空間２４内で揺れまたは振動により回転するのを防ぐ。また、第２のサイズのファン５３のフレーム５１の隅およびフレーム５１の中央部分は、同時に境界空間２４１および収納凹部２１７にそれぞれ配置される。次に、蓋３のリム３１と側壁部２３の内壁とを嵌合させて蓋３により収納空間２４を密封させ、第２のサイズのファン５３が密閉されるように収納空間２４内に配置される。
【００３４】
本考案の本体２は、透明または半透明の材料で作製しても良く、一方の端部が延伸し、穴を空けた耳状の物を設け、吊るすカード状になり（図示せず）、ファン保護カバーを吊るした状態で販売する。
【００３５】
本体２の第１の嵌合部２５および第２の嵌合部２６により、位置決め効果を向上させる以外に、サイズの異なる第１のサイズのファン５２または第２のサイズのファン５３が一つの本体２に装着されるため、作業時間を短縮し、利便性を向上させることができる。また、生産コストを削減することもできる。
【００３６】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００３７】
２  本体
３  蓋
５  ファン
２１  底部
２２  開放部
２３  側壁部
２４  収納空間
２５  第１の嵌合部
２６  第２の嵌合部
２７  第３の嵌合部
２８  第４の嵌合部
３１  リム
５１  フレーム
５２  第１のサイズのファン
５３  第２のサイズのファン
２１１  第１の凸体セット
２１２  第２の凸体セット
２１４  固定部
２１５  突出体
２１６  溝
２１７  収納凹部
２４１  境界空間
２１１１  第１部分
２１１２  第２部分
２１２１  第３部分
２１２２  第４部分
２１５１  側凸面
２１５２  側曲面
【図１】
0003155285.tif 000003
【図２】
0003155285.tif 000004
【図３】
0003155285.tif 000005
【図４】
0003155285.tif 000006
【図５】
0003155285.tif 000007
【図６】
0003155285.tif 000008
【図７】
0003155285.tif 000009
【図８】
0003155285.tif 000010
【図９】
0003155285.tif 000011
【図１０】
0003155285.tif 000012
【図１１】
0003155285.tif 000013
【図１２】
0003155285.tif 000014
【図１３】
0003155285.tif 000015
【図１４】
0003155285.tif 000016